(57)【要約】【課題】本体内への水の浸入による故障を防止し、信頼性を更に高めるとともにデザイン性に優れた加熱調理器を提供することを目的とする。【解決手段】本体１の天面に配され調理器具を載置する天板２は、その外周を覆うトップフレーム３と、天板２を下方より支持するアンダーフレーム１６とにより挟持するとともに、アンダーフレーム１６を本体１に締結して、天板２を本体１の天面に配設したものである。これによって、トップフレーム３と天板２に加わる力をアンダーフレーム１６でも受け止めることができるのに加え、天板２とアンダーフレーム１６との当接面２４も接着面として利用できるので、接着部分の増加による水密性および接着強度も向上し、本体１内への水の浸入による故障を防止し、信頼性を更に高めるとともに、外観面であるトップフレーム３に本体１との締結部を設けなくても良くデザイン性に優れたものとなる。【選択図】図２
2008177010.tif 000002
【特許請求の範囲】
【請求項１】
本体と、前記本体の天面に配され調理器具を載置する天板と、前記天板の下方に設けられた加熱手段と、加熱手段の電源回路と、外部操作により機器の運転を制御する制御回路とを備え、前記天板は、その外周を覆うトップフレームと、前記天板を下方より支持するアンダーフレームとにより挟持するとともに、前記アンダーフレームを前記本体に締結して、天板を本体の天面に配設した加熱調理器。
【請求項２】
アンダーフレームの天板外縁近傍に相対する周縁部分に、トップフレームと天板との隙間からの浸入水の誘導用溝部を形成した請求項１に記載の加熱調理器。
【請求項３】
浸入水の誘導用溝部の少なくとも１箇所において、アンダーフレームの外縁端部まで溝部を延長した請求項２に記載の加熱調理器。
【請求項４】
制御回路を有する操作部ユニットを本体内側からトップフレームに嵌着するとともに、アンダーフレームと操作部ユニットをトップフレームに形成した操作面で締結し、操作面には操作部ユニットの上部を覆ってパネルシートを貼着した請求項１に記載の加熱調理器。
【請求項５】
操作部ユニットとアンダーフレームを共締めでトップフレームに締結した請求項４に記載の加熱調理器。
【発明の詳細な説明】
【技術分野】
【０００１】
本発明は、一般家庭の台所や業務用の厨房などで使用される、据え置き型あるいは組込型の誘導加熱調理器などの加熱調理器に関するものである。
【背景技術】
【０００２】
従来、この種の誘導加熱調理器における調理器具載置用の天板の取付け構成は、特に、据え置き型のものについては製品の内部スペースなどの制約もあって、天板の外周を覆うトップフレームに直接取付けて本体の天面に配設されるものが一般的であり、天板とトップフレームは接着剤により接着されているものである（例えば、特許文献１参照）。
【特許文献１】特開２００４−３２７１１２号公報
【発明の開示】
【発明が解決しようとする課題】
【０００３】
しかしながら、前記従来の構成では、トッププレートと天板との接着が不十分で隙間が発生した場合や、たとえ初期は水密性が得られていても、接着強度が不十分な場合に天板上に食材を満たした調理器具の重さが繰り返し加わることによって、接着部がその力に耐えきれなくなって隙間が発生する場合が発生する。その場合に、その隙間から天板上にこぼれた水などが本体内部に浸入して内部の制御回路などに到達して故障を引き起こす可能性があった。
【０００４】
本発明は、前記従来の課題を解決するもので、本体内への水の浸入による故障を防止し、信頼性を更に高めるとともにデザイン性に優れた加熱調理器を提供することを目的とする。
【課題を解決するための手段】
【０００５】
前記従来の課題を解決するために、本発明の加熱調理器は、本体の天面に配され調理器具を載置する天板は、その外周を覆うトップフレームと、天板を下方より支持するアンダーフレームとにより挟持するとともに、アンダーフレームを本体に締結して、天板を本体の天面に配設したものである。
【０００６】
これによって、トップフレームと天板に加わる、調理器具などの重量による力をアンダーフレームでも受け止めることができるのに加え、天板とアンダーフレームとの当接面も接着面として利用できるので、接着部分の増加による水密性および接着強度も向上し、本体内への水の浸入による故障を防止し、信頼性を更に高めるとともに、外観面であるトップフレームに本体との締結部を設けなくても良いのでデザイン性に優れた加熱調理器を実現できるのである。
【発明の効果】
【０００７】
本発明の加熱調理器は、本体内への水の浸入による故障を防止し、信頼性を更に高めるとともに、デザイン性に優れた加熱調理器を提供することができる。
【発明を実施するための最良の形態】
【０００８】
第１の発明は、本体と、前記本体の天面に配され調理器具を載置する天板と、前記天板の下方に設けられた加熱手段と、加熱手段の電源回路と、外部操作により機器の運転を制御する制御回路とを備え、前記天板は、その外周を覆うトップフレームと、前記天板を下方より支持するアンダーフレームとにより挟持するとともに、前記アンダーフレームを前記本体に締結して、天板を本体の天面に配設した加熱調理器とするものである。これによって、トップフレームと天板に加わる、調理器具などの重量による力をアンダーフレームでも受け止めることができるのに加え、天板とアンダーフレームとの当接面も接着面として利用できるので、接着部分の増加による水密性および接着強度も向上し、本体内への水の浸入による故障を防止し、信頼性を更に高めるとともに、外観面であるトップフレームに本体との締結部を設けなくても良いのでデザイン性に優れた加熱調理器を実現できる。
【０００９】
第２の発明は、特に、第１の発明において、アンダーフレームの天板外縁近傍に相対する周縁部分に、トップフレームと天板との隙間からの浸入水の誘導用溝部を形成したことにより、万が一トップフレームと天板との隙間から水が浸入しても、その浸入した水を誘導し、アンダーフレーム上に溜めて下方への滴下を防止することができる。
【００１０】
第３の発明は、特に、第２の発明において、浸入水の誘導用溝部の少なくとも１箇所において、アンダーフレームの外縁端部まで溝部を延長したことにより、多量の水が浸入した場合でも、その水を溝部で誘導してアンダーフレームの外縁端部まで導いて、本体内の下方に落下させても実質支障のない場所に落下させ、最終は本体外に排出することができるのである。
【００１１】
第４の発明は、特に、第１の発明において、制御回路を有する操作部ユニットを本体内側からトップフレームに嵌着するとともに、アンダーフレームと操作部ユニットをトップフレームに形成した操作面で締結し、操作面には操作部ユニットの上部を覆ってパネルシートを貼着したことにより、アンダーフレームと操作部ユニットをトップフレームに締結できるとともに、締結部をパネルシートで隠すことができるので外観品位を損なうことがない。
【００１２】
第５の発明は、特に、第４の発明において、操作部ユニットとアンダーフレームを共締めでトップフレームに締結したことにより、トップフレームへの他部材の締結箇所を減らせるので、操作・表示に必要な面積の減少を最小限に抑えることができ、視認性を殆ど損なうことがなく、操作部の見易さ・使い易さを維持できるのである。
【００１３】
以下、本発明の実施の形態について、図面を参照しながら説明する。なお、この実施の形態によって本発明が限定されるものではない。
【００１４】
（実施の形態）
図１〜図５は、本発明の実施の形態における加熱調理器として誘導加熱調理器を例示したものである。
【００１５】
図１に示すように、本体１の天面には、鍋、フライパンなどの調理器具を載置する天板２が配されている。天板２は高耐熱のガラスなどの電磁誘導によって加熱されない材質で構成されている。トップフレーム３は、天板２の外周を囲んで覆って、本体１の天面の一部もしくは殆ど全部を構成しており、天板２を介して伝わる調理器具からの熱に十分に耐え、かつ外観部品として見栄えのよく、腐食にも強いステンレスやホーロー処理鋼板などの金属からなっている。
【００１６】
トップフレーム３に形成された操作部４の内部には、後述する操作部ユニットなどが配設されている。
【００１７】
また、本実施の形態では、台所や業務用の厨房などで使用される据え置き型の誘導加熱調理器を示しており、キャビネット上に本体１が設置されている。
【００１８】
図２において、天板２の下方には加熱手段である誘導加熱コイル５が２個近接して設けられている。各誘導加熱コイル５はそれぞれコイルケース６に収納され、本体１内の所定の位置に保持されている。誘導加熱コイル５には電源回路７によって高周波電力が供給される。誘導加熱コイル５および電源回路７は冷却ファン８の送風によって冷却されるようになっている。
【００１９】
トップフレーム３の操作部４の下方に配設された操作部ユニット９は、外部操作により機器の運転を制御するための信号入力部、および機器の運転状態を表示する表示部などを有する制御回路（後述の図５参照）などを収納している。
【００２０】
本体１の外郭は、天面の天板２およびトップフレーム３に加えて、左右側面を右側板１０および左側板１１で、後面を後板１２で、前面をロースターのドア１３や電源スイッチ１４を収納する電源カバー１５などにより構成されている。
【００２１】
ここで、図２および図３において、天板２の外周の上下端はトップフレーム３と、天板２下方に配されて天板２を支持するアンダーフレーム１６とにより挟持されている。
【００２２】
天板２の表裏の外周近傍部と、トップフレーム３およびアンダーフレーム１６とは各々接着剤１７、１８により接合され、水密性を保っている。
【００２３】
アンダーフレーム１６の外周端部は略鉛直方向に伸長して腕部１９が複数形成されており、その腕部１９には、ねじ締め用のバーリング穴２０が設けられている。側板１０、１１の相対する箇所には穴部２１が形成されており、アンダーフレーム１６は、ねじ２２によって穴部２１を介して側板１０、１１の複数箇所に締結される。
【００２４】
この構成により、天板２の外周を覆うトップフレーム３と、天板２を下方より支持するアンダーフレーム１６とにより天板２を挟持することによって、トップフレーム３と天板２の接着部に加わる調理器具などの重量による力を、アンダーフレーム１６でも受け止めることができるのに加え、天板２とアンダーフレーム１６との当接面２４も接着面として利用できるので、接着部分の増加による水密性および接着強度も向上し、かつ外観面であるトップフレーム３に本体１との締結部を設けなくても良く、デザイン性に優れた誘導加熱調理器を実現できるのである。
【００２５】
ここで、本実施の形態においては、アンダーフレーム１６を側板１０、１１に締結したものであるが、同様に後板１２との締結であっても、また両方同時であっても良い。
【００２６】
また、アンダーフレーム１６の天板２外縁近傍に相対する周部分に、下方に凸となる誘導用溝部２３が形成されており、図４のように、万が一、天板２とトップフレーム３との接着剤１７の接着が不十分な場合や、トップフレーム３の天板２との当接面２４が変形して隙間が大きくなってしまった不具合の場合に、天板２上にこぼれた水は、その部分から浸入するが、誘導用溝部２３に捕獲される。これにより、浸入水が本体１内部に配された電源回路７などに到達するのを阻止できるので、電源回路７などの故障を防止することができる。
【００２７】
また、浸入水の誘導用溝部２３の少なくとも１箇所において、アンダーフレーム１６の外縁端部まで溝部を延長した排出口２５が形成されており、この位置を、水を下方に落下させても電源回路７などに実質支障のない場所に落下させるように配慮し、最終は本体１外に排出することができるようにしている。
【００２８】
図５は、本実施の形態における操作部４周辺の構成を示し、外部操作により機器の運転を制御するための信号入力部、および機器の運転状態を表示する表示部などを有する制御回路２６をケース２７に収納した操作部ユニット９が、操作部４に配設されている。
【００２９】
トップフレーム３の操作面２８は凹部となっており、ここにパネルシート３４が貼着されている。パネルシート３４には、操作部ユニット９に形成された、制御回路２６のスイッチ２９に外部からの押圧を伝達するためのアクチュエータ部３０に相対する位置に上下にたわむエンボス加工のボタン部３１や、制御回路２６の表示部３２に相対する位置に透明窓３３を有する。
【００３０】
操作部ユニット９のトップフレーム３への取付けは、ケース２７に形成された複数のボス３８をトップフレーム３の操作面２８において、その上側（表面側）よりねじ３５で固定される。この時、アンダーフレーム１６の前方には水平方向に複数の腕部３６が形成されており、この腕部３６はそこに設けられた穴部３７を介して操作部ユニット９と共締めでトップフレーム３に固定される。この締結が完了した後にパネルシート３４をトップフレーム３の操作面２８に貼り付ける。
【００３１】
これにより、トップフレーム３とアンダーフレーム１６の締結をより強固なものにできるとともに、締結部をパネルシート３４で隠すことができるので、外観品位を損なうことがない。また、アンダーフレーム１６と操作部ユニット９を共締めにすることでトップフレーム３への他部材の締結箇所を減らせるので、操作・表示に必要な面積の減少を最小限に抑えることができるため、視認性を殆ど損なうことがなく、操作部４の見易さ・使い易さを維持できるのである。
【００３２】
なお、本実施の形態においては、加熱調理器として誘導加熱調理器を例示したが、これに限られるものではなく、調理器具載置用の天板を備えた加熱調理器であれば適宜採用することができるものである。
【産業上の利用可能性】
【００３３】
以上のように、本発明にかかる加熱調理器は、本体内への水の浸入による故障を防止し、信頼性を更に高めるとともに、デザイン性に優れた加熱調理器を提供することができるので、誘導加熱調理器はもちろんのこと加熱調理器全般に適用できる。
【図面の簡単な説明】
【００３４】
【図１】本発明の実施の形態における加熱調理器の外観を示す斜視図
【図２】同加熱調理器の主要構成部品を示す分解斜視図
【図３】同加熱調理器の要部を示す拡大断面図
【図４】同加熱調理器の要部の不具合状態を示す拡大断面図
【図５】同加熱調理器の操作部周辺の構成を示す分解斜視図
【符号の説明】
【００３５】
１  本体
２  天板
３  トップフレーム
４  操作部
５  誘導加熱コイル（加熱手段）
７  電源回路
９  操作部ユニット
１６  アンダーフレーム
１７、１８  接着剤
２３  誘導用溝部
２４  当接面
２５  排出口
２６  制御回路
２７  ケース
３４  パネルシート
【図１】
2008177010.tif 000003
【図２】
2008177010.tif 000004
【図３】
2008177010.tif 000005
【図４】
2008177010.tif 000006
【図５】
2008177010.tif 000007